(57)【要約】【課題】動作モード中でもバッテリの充電を継続できるようにした携帯型電子機器を提供する。【解決手段】携帯型電子機器は、外部電源電圧である第１の電源の有無を判定する第１判定手段（７１）と、外部機器との間のインターフェースを介して当該外部機器から送られてくる第２の電源の有無を判定する第２判定手段（６９）と、自機器の動作及び非動作を判定する第３判定手段と、バッテリの充電用電源を切り替える切換手段（７０）とを備え、前記切換手段は、前記第２判定手段の判定結果が第２の電源有のとき前記第３判定手段の判定結果にかかわらずバッテリの充電用電源を前記第２の電源とする。【選択図】  図５
2007251536.tif 000002
【特許請求の範囲】
【請求項１】
外部電源電圧である第１の電源の有無を判定する第１判定手段と、
外部機器との間のインターフェースを介して当該外部機器から送られてくる第２の電源の有無を判定する第２判定手段と、
自機器の動作及び非動作を判定する第３判定手段と、
バッテリの充電用電源を切り替える切換手段とを備え、
前記切換手段は、
前記第２判定手段の判定結果が第２の電源有のとき前記第３判定手段の判定結果にかかわらずバッテリの充電用電源を前記第２の電源とすることを特徴とする携帯型電子機器。
【請求項２】
前記切換手段は、
前記第１判定手段の判定結果が第１の電源有で且つ前記第２判定手段の判定結果が第２の電源無のときに、前記第３判定手段の判定結果が非動作中であれば、バッテリの充電用電源を前記第１の電源とする一方、前記第３判定手段の判定結果が動作中であれば、前記第１の電源から自機器の動作に必要な電源を差し引いた残りの電源でバッテリの充電用電源を賄うことを特徴とする請求項１記載の携帯型電子機器。
【請求項３】
前記切換手段は、
前記第１判定手段の判定結果が第１の電源無で且つ前記第２判定手段の判定結果が第２の電源有のときに、前記第３判定手段の判定結果が非動作中であれば、バッテリの充電用電源を前記第２の電源とする一方、前記第３判定手段の判定結果が動作中であれば、前記第２の電源から自機器の動作に必要な電源を差し引いた残りの電源でバッテリの充電用電源を賄うことを特徴とする請求項１又は２いずれかに記載の携帯型電子機器。
【請求項４】
前記切換手段は、
前記第１判定手段の判定結果が第１の電源無で且つ前記第２判定手段の判定結果が第２の電源無のときに、自機器の動作に必要な電源をバッテリから供給することを特徴とする請求項１乃至３いずれかに記載の携帯型電子機器。
【請求項５】
外部電源電圧である第１の電源の有無を判定する第１判定工程と、
外部機器との間のインターフェースを介して当該外部機器から送られてくる第２の電源の有無を判定する第２判定工程と、
自機器の動作及び非動作を判定する第３判定工程と、
バッテリの充電用電源を切り替える切換工程とを含み、
前記切換工程は、
前記第２判定工程の判定結果が第２の電源有のときに、前記第３判定工程の判定結果にかかわらずバッテリの充電用電源を前記第２の電源とすることを特徴とする充電制御方法。
【請求項６】
コンピュータに、外部電源電圧である第１の電源の有無を判定する第１判定手段と、外部機器との間のインターフェースを介して当該外部機器から送られてくる第２の電源の有無を判定する第２判定手段と、自機器の動作及び非動作を判定する第３判定手段と、前記第２判定手段の判定結果が第２の電源有のときに前記第３判定手段の判定結果にかかわらずバッテリの充電用電源を前記第２の電源とする切換手段とを実現させるためのプログラム。
【発明の詳細な説明】
【技術分野】
【０００１】
本発明は、携帯使用されると共に、充電用または充電兼用載置台（以下、クレードルという）にセットした状態でも使用可能な、たとえば、デジタルカメラ、携帯テレビ、携帯型画像再生装置、画像再生機能付き携帯電話機、携帯情報端末、携帯型小型パーソナルコンピュータ等の携帯型電子機器に関し、詳細には、クレードルにセットした状態で使用中でも、バッテリの充電を継続できるように改良した携帯型電子機器、充電制御方法及びプログラムに関する。
【背景技術】
【０００２】
一般的にデジタルカメラ等の携帯型電子機器は、充電型のバッテリ（二次電池）で動作する。バッテリの充電は大別して、ＡＣアダプタからのケーブルを直接、携帯用電子機器に接続して行うものと、クレードルと呼ばれる充電用またはパーソナルコンピュータとのインターフェース兼用の載置台を介して行うものとがある。以下、後者の充電方式を採用する携帯型電子機器について説明する。
【０００３】
多くの携帯型電子機器は、携帯使用は勿論のこと、クレードルに載置した状態（以下、固定状態ということもある）でも使用することができるようになっている。たとえば、デジタルカメラの場合には、クレードルにセットしたままで画像の再生やパーソナルコンピュータへの画像の転送をできるようになっており、こうした携帯型電子機器の付属品（またはオプション品）には、ＡＣアダプタとクレードルが含まれる。
【０００４】
ここで、ＡＣアダプタとは、商用電源（我が国では単層交流の１００Ｖ）から所定電流且つ所定電圧の外部電源電圧を作り出すための電子部品である。ほとんどの携帯型電子機器に付属するＡＣアダプタは、小型軽量で、しかも、その携帯型電子機器に必要とされる最低限の電流供給能力（したがって、安価な）しか持たない。
【０００５】
その理由は、主にコスト面からの要求にある。すなわち、比較的安価に入手できる小出力タイプのＡＣアダプタ（たとえば、出力電流５５０ｍＡのもの）に比べて、大出力タイプのＡＣアダプタ（たとえば、出力電流９００ｍＡのもの）は、容積と価格が数倍にも及び、コスト競争が熾烈な携帯型電子機器の分野においては、到底採用できないからである。
【０００６】
たとえば、下記の非特許文献１には、上記の小出力タイプに相当するＡＣアダプタを付属した液晶デジタルカメラに関する使用上の注意事項が記載されている。それによれば、「スライドショー中は電池の充電ができません。充電する場合はスライドショーを終了してください。」と記されている。
【０００７】
この注意事項は、当該デジタルカメラに付属するＡＣアダプタの出力電流では、スライドショー（撮影済み画像を順次に再生表示する動作モード）に必要な電流とバッテリの充電に必要な電流とをまかないきれないことを示しており、動作モード優先の仕様（動作モード実行中はバッテリ充電を停止する仕様）になっていることを示している。
【０００８】
【非特許文献１】「ＥＸＩＬＩＭ  ＥＸ−Ｚ３  取扱説明書」カシオ計算機株式会社、７１頁の左下注記参照
【発明の開示】
【発明が解決しようとする課題】
【０００９】
上記のように、非特許文献１に記載のものあっては、動作モード優先の仕様、すなわち、スライドショー等の動作モード実行中はバッテリの充電を行わない仕様になっているので、動作モードを終了しない限りバッテリの充電が再開されないから、結局、バッテリ充電の待ち時間が長くなって当該携帯型電子機器の利便性（携帯使用）を阻害するという問題点がある。
【００１０】
そこで、本発明は、動作モード中でもバッテリの充電を継続できるようにした携帯型電子機器、充電制御方法及びプログラムを提供することにある。
【課題を解決するための手段】
【００１１】
請求項１記載の発明は、外部電源電圧である第１の電源の有無を判定する第１判定手段と、外部機器との間のインターフェースを介して当該外部機器から送られてくる第２の電源の有無を判定する第２判定手段と、自機器の動作及び非動作を判定する第３判定手段と、バッテリの充電用電源を切り替える切換手段とを備え、前記切換手段は、前記第２判定手段の判定結果が第２の電源有のとき前記第３判定手段の判定結果にかかわらずバッテリの充電用電源を前記第２の電源とすることを特徴とする携帯型電子機器である。
請求項２記載の発明は、前記切換手段は、前記第１判定手段の判定結果が第１の電源有で且つ前記第２判定手段の判定結果が第２の電源無のときに、前記第３判定手段の判定結果が非動作中であれば、バッテリの充電用電源を前記第１の電源とする一方、前記第３判定手段の判定結果が動作中であれば、前記第１の電源から自機器の動作に必要な電源を差し引いた残りの電源でバッテリの充電用電源を賄うことを特徴とする請求項１記載の携帯型電子機器である。
請求項３記載の発明は、前記切換手段は、前記第１判定手段の判定結果が第１の電源無で且つ前記第２判定手段の判定結果が第２の電源有のときに、前記第３判定手段の判定結果が非動作中であれば、バッテリの充電用電源を前記第２の電源とする一方、前記第３判定手段の判定結果が動作中であれば、前記第２の電源から自機器の動作に必要な電源を差し引いた残りの電源でバッテリの充電用電源を賄うことを特徴とする請求項１又は２いずれかに記載の携帯型電子機器である。
請求項４記載の発明は、前記切換手段は、前記第１判定手段の判定結果が第１の電源無で且つ前記第２判定手段の判定結果が第２の電源無のときに、自機器の動作に必要な電源をバッテリから供給することを特徴とする請求項１乃至３いずれかに記載の携帯型電子機器である。
請求項５記載の発明は、外部電源電圧である第１の電源の有無を判定する第１判定工程と、外部機器との間のインターフェースを介して当該外部機器から送られてくる第２の電源の有無を判定する第２判定工程と、自機器の動作及び非動作を判定する第３判定工程と、バッテリの充電用電源を切り替える切換工程とを含み、前記切換工程は、前記第２判定工程の判定結果が第２の電源有のときに、前記第３判定工程の判定結果にかかわらずバッテリの充電用電源を前記第２の電源とすることを特徴とする充電制御方法である。
請求項６記載の発明は、コンピュータに、外部電源電圧である第１の電源の有無を判定する第１判定手段と、外部機器との間のインターフェースを介して当該外部機器から送られてくる第２の電源の有無を判定する第２判定手段と、自機器の動作及び非動作を判定する第３判定手段と、前記第２判定手段の判定結果が第２の電源有のときに前記第３判定手段の判定結果にかかわらずバッテリの充電用電源を前記第２の電源とする切換手段とを実現させるためのプログラムである。
【発明の効果】
【００１２】
本発明によれば、第１の電源と第２の電源の双方が供給されている場合に、自機器が動作していなければ、バッテリの充電を第２の電源で行い、自機器が動作していれば、自機器の動作に必要な電力を第１の電源で賄いつつ、バッテリの充電を第２の電源で行うことができる。又は、第１の電源が供給で且つ第２の電源が非供給の場合に、自機器が動作していなければ、バッテリの充電を第１の電源で行い、自機器が動作していれば、自機器の動作に必要な電力を第１の電源で賄いつつ、その残りの電力でバッテリの充電を行うことができる。又は、第１の電源が非供給で且つ第２の電源が供給の場合に、自機器が動作していなければ、バッテリの充電を第２の電源で行い、自機器が動作していれば、自機器の動作に必要な電力を第２の電源で賄いつつ、その残りの電力でバッテリの充電を行うことができる。したがって、第１の電源と第２の電源のいずれか一方が供給されていれば、自機器の動作と並行してバッテリの充電を支障なく行うことができ、当該携帯型電子機器の利便性（携帯使用）を阻害することがない。
【発明を実施するための最良の形態】
【００１３】
以下、本発明の実施形態を、デジタルカメラへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１４】
図１は、本実施形態のデジタルカメラ１０の正面図及び背面図である。この図において、デジタルカメラ１０は、携帯に適した形状（ここでは箱形）のカメラボディ１１の前面に沈胴式のレンズ鏡筒１２、ストロボ発光窓１３及びファインダ前面窓１４などを配置すると共に、カメラボディ１１の上面に電源スイッチ１５及びシャッターボタン１６などを配置し、さらに、カメラボディ１１の背面にファインダ後面窓１７、撮影モード／再生モード切り換えスイッチ１８、ズーム操作兼再生表示モード切替スイッチ１９、ＭＥＮＵボタン２０、上下左右方向移動ボタン２１、ＳＥＴボタン２２、ＤＩＳＰボタン２３及び液晶モニタ２４（表示手段）などを配置し、加えて、カメラボディ１１の底面にクレードル接続端子２５と蓋２６とを設けている。蓋２６を開くことによってカメラボディ１１の内部に実装されたバッテリ２７や、カード型メモリやカード型ハードディスクなどの大容量の外部メモリ２８を着脱できるようになっている。
【００１５】
図２は、デジタルカメラ１０とクレードル２９との接続状態図である。この図において、クレードル２９には、デジタルカメラ１０を載置（セットともいう）するための窪み３０が形成されており、その窪み３０の所定位置にはコネクタ３１が設けられている。窪み３０にデジタルカメラ１０をセットすると、デジタルカメラ１０の底面に設けられているクレードル接続端子２５（図１参照）と、上記のコネクタ３１とが接続されるようになっている。
【００１６】
また、クレードル２９には、いくつかの操作ボタン（たとえば、ＰＨＯＴＯボタン３２やＵＳＢ通信開始ボタン３３）並びにいくつかの表示灯（たとえば、チャージランプ３４やＵＳＢ通信ランプ３５）が設けられており、クレードル２９にデジタルカメラ１０をセットした状態でＰＨＯＴＯボタン３２を押すと、デジタルカメラ１０でスライドショーが行われるようになっている。また、クレードル２９にデジタルカメラ１０をセットした状態でＵＳＢ通信開始ボタン３３を押すと、ＵＳＢプロトコルを利用して、不図示のパーソナルコンピュータからデジタルカメラ１０をアクセスできるようになっている。なお、チャージランプ３４はデジタルカメラ１０のバッテリ２７が充電されている間、赤色に点灯し、また、ＵＳＢ通信ランプ３５は、パーソナルコンピュータ３７（図３参照）との間でＵＳＢ通信を行っている間、緑色に点灯する。
【００１７】
図３は、クレードル２９とＡＣアダプタ３６及びパーソナルコンピュータ３７との接続状態図である。クレードル２９の背面には、ＤＣ入力端子３８とＵＳＢ端子３９が設けられている。壁面等のコンセント４０に差し込まれたＡＣアダプタ３６から延びるケーブル４１のジャック４２を上記のＤＣ入力端子３８に差し込むことにより、そのＡＣアダプタ３６で作られた所定電流且つ所定電圧の外部電源電圧ＤＣｉｎ（第１の電源）を、クレードル２９のコネクタ３１を介してデジタルカメラ１０に供給できるようになっている。また、クレードル２９のＵＳＢ端子３９と、パーソナルコンピュータ３７のＵＳＢポート４３との間を、ＵＳＢケーブル４４で接続することにより、上記の通り、クレードル２９にセットされたデジタルカメラ１０とパーソナルコンピュータ３７との間でＵＳＢ通信を行うことができるようになっている。
【００１８】
ＵＳＢ（Universal Serial Bus）とは、パーソナルコンピュータと周辺機器を接続するための汎用インタフェースのことをいう。ＵＳＢ対応の周辺機器は、パーソナルコンピュータの電源を入れたままでも抜き差しが可能で、且つ、設定等を自動的に行えることが特徴である。マウスやキーボード等の低速機器向けのロースピードモード（転送速度１．５Ｍｂｐｓ）とハードディスクなどの高速機器向けのフルスピードモード（１２Ｍｂｐｓ／ＵＳＢ２．０規格では４８０Ｍｂｐｓ）とがある。また、ＵＳＢでは、データを伝送するだけでなく、接続した機器に電力（ＵＳＢバスパワーという）を供給することもできる。ＵＳＢバスパワーのみで動作する機器のことをバスパワーデバイス、これとは別に独自の電源を持つ機器のことをセルフパワーデバイスと呼ぶ。バスパワーデバイスには、最大で５００ｍＡの電流を供給することができる。
【００１９】
ここで、本実施形態におけるパーソナルコンピュータ３７のＵＳＢポート４３もバスパワー対応である。すなわち、パーソナルコンピュータ３７の電源がオンになっている間、そのＵＳＢポート４３からＵＳＢケーブル４４及びクレードル２９を介してデジタルカメラ１０に最大５００ｍＡのバスパワー（第２の電源）を供給できるようになっている。
【００２０】
図４は、デジタルカメラ１０の内部ブロック図である。この図において、デジタルカメラ１０は、機能別に、撮像系４５、制御系４６、画像記憶系４７、表示系４８、操作系４９及び電源系５０などに分類することができる。
【００２１】
これらの系毎に説明すると、撮像系４５は、ボディ前面のレンズ鏡筒１２に収められたズーム機能及びオートフォーカス機能付の撮影レンズ群５１と、この撮影レンズ群５１を通過した被写体像を二次元の画像信号に変換するＣＣＤ（Charge Coupled Devices）やＣＭＯＳ（Complementary Metal Oxide Semiconductor）などからなる電子撮像部５２と、この電子撮像部５２からの画像信号に対して所要の画像処理を施す画像処理部５３と、画像処理後の画像信号を一時的に記臆する画像メモリ５４とを備えるとともに、レンズ鏡筒１２の不図示のフォーカス機構を駆動するフォーカス駆動部５５と、同ズーム機構を駆動するズーム駆動部５６と、ボディ前面のストロボ発光窓１３に設けられたストロボ発光部５７と、このストロボ発光部５７を駆動するストロボ駆動部５８と、これらの各部（電子撮像部５２、画像処理部５３、フォーカス駆動部５５、ズーム駆動部５６、ストロボ駆動部５８）を制御するための撮影制御部５９とを備える。
【００２２】
制御系４６は、上記の各系を制御してデジタルカメラ１０の動作を集中的にコントロールするＣＰＵ６０と、このＣＰＵ６０の動作に必要な各種制御プログラムやデータ等を不揮発的に記憶するプログラムメモリ６１と、カメラボディ１１の底面に設けられているクレードル接続端子２５及びクレードル２９を介して、外部機器（たとえば、図３のパーソナルコンピュータ３７）との間でＵＳＢ規格のデータ入出力を行う外部インターフェース部６２とを備える。
【００２３】
画像記憶系４７は、メモリンターフェース部６３と、このメモリンターフェース部６３に着脱可能に接続される外部メモリ２８とを備える。表示系４８は、ＣＰＵ６０から適宜に出力される表示データを一時的に保持するビデオメモリ（ＶＲＡＭ６４）を含む表示制御部６５と、表示制御部６５の出力信号を可視化して表示する液晶モニタ２４とを備える。
【００２４】
操作系４９は、カメラボディ１１の各部に設けられた様々な操作ボタン類、すなわち、シャッターボタン１６、撮影モード／再生モード切り換えスイッチ１８、ズーム操作兼再生表示モード切替スイッチ１９、ＭＥＮＵボタン２０、上下左右方向移動ボタン２１、ＳＥＴボタン２２、ＤＩＳＰボタン２３を含む操作入力部６６と、この操作入力部６６からの操作信号をＣＰＵ６０に入力するための入力回路６７とを備える。
【００２５】
電源系５０は、電源部６８とバッテリ２７とを備える。この電源系５０は、デジタルカメラ１０が携帯使用（クレードル２９にセットされない状態で使用）されているときには、バッテリ２７からの電力を用いて、このデジタルカメラ１０の各部の動作に必要な内部電源電圧を電源部６８で生成出力する。一方、このデジタルカメラ１０が固定使用（クレードル２９にセットされた状態で使用）されているときには、バッテリ２７の電力またはＡＣアダプタ３６からの電力（Ｄｃｉｎ）の一方を用いて、このデジタルカメラ１０の各部の動作に必要な内部電源電圧を電源部６８で生成出力する。ただし、クレードル２９にＡＣアダプタ３６がつながっている場合は、バッテリ２７の電力ではなく、ＡＣアダプタ３６からの電力（Ｄｃｉｎ）を用いて、このデジタルカメラ１０の各部の動作に必要な内部電源電圧を電源部６８で生成出力する。つまり、バッテリ２７の消耗を回避するために、ＡＣ電源の利用を優先するようになっている。
【００２６】
ここで、バッテリ２７の充電について概説する。本実施形態の電源系５０は、デジタルカメラ１０をクレードル２９にセットしている状態で且つデジタルカメラ１０が非動作状態にある間、ＡＣアダプタ３６からの外部電源電圧ＤＣｉｎを用いてバッテリ２７を充電する点で冒頭の従来技術と共通するが、たとえば、クレードル２９にセットされたデジタルカメラ１０でスライドショー等の任意の動作を実行している最中であっても、パーソナルコンピュータ３７からクレードル２９を介して規定電流量（最大５００ｍＡ）のＵＳＢバスパワーが供給されている限り、そのバスパワーを用いてバッテリ２７の充電を継続できるようになっている点で従来技術と相違する。
【００２７】
図５は、電源部６８の概念的な構成図である。この図において、電源部６８は、バスパワー入力判定部６９、充電切換部７０、外部電源入力判定部７１、内外電源切換部７２及び内部電源電圧生成部７３を含む。
【００２８】
バスパワー入力判定部６９は、ＵＳＢバスパワーの有無を判定し、その判定結果を示す信号（バスパワー入力判定信号Ｈ１）を充電切換部７０に出力する。以下、説明の便宜上、このバスパワー入力判定信号Ｈ１は、ＵＳＢバスパワー「有」のときにアクティブとなり、ＵＳＢバスパワー「無」のときにインアクティブとなるものとする。ただし、このバスパワー入力判定部６９は、ＵＳＢバスパワー「有」を判定した場合には、さらに、そのバスパワー供給電流量の良否を判定し、その判定結果に基づいて、アクティブとインアクティブを最終決定する。たとえば、ＵＳＢ規格上の最大供給電流量（１単位を１００ｍＡとして５単位分の電流量）であれば「良」を判定し、そうでなければ「否」を判定する。そして、「良」の場合にバスパワー入力判定信号Ｈ１をアクティブにし、「否」の場合にバスパワー入力判定信号Ｈ１をインアクティブにする。
【００２９】
したがって、バスパワー入力判定信号Ｈ１は、ＵＳＢバスパワー「無」のとき、または、ＵＳＢバスパワーが「有」で且つそのバスパワー供給電流量が５単位に満たない場合にインアクティブとなり、ＵＳＢバスパワーが「有」で且つそのバスパワー供給電流量が５単位の場合にアクティブとなる。なお、ＵＳＢバスパワーの供給元は、先にも説明したとおり、パーソナルコンピュータ３７である。すなわち、ＵＳＢバスパワーは、パーソナルコンピュータ３７のＵＳＢポート４３からＵＳＢケーブル４４、クレードル２９及びクレードル接続端子２５を経てデジタルカメラ１０に伝えられ、電源部６８のバスパワー入力判定部６９に供給される。
【００３０】
充電切換部７０は、バスパワー入力判定信号Ｈ１とＣＰＵ６０からの動作モード信号とに基づいて、バッテリ２７を充電する電圧源を切り替える。“動作モード信号”とは、デジタルカメラ１０の動作状態を示す信号であり、たとえば、スライドショー等の画像の再生を行っているときにアクティブとなる信号である。
【００３１】
充電切換部７０における切り替え対象の電圧源は、ＵＳＢバスパワーと外部電源電圧ＤＣｉｎである。詳細には、充電切換部７０は、バスパワー入力判定信号Ｈ１とＣＰＵ６０からの動作モード信号が共にアクティブのとき、すなわち、デジタルカメラ１０が動作中で、ＵＳＢバスパワーが「有」、且つそのバスパワー供給電流量が５単位のときには、ＵＳＢバスパワーを選択してバッテリ２７に供給する一方、バスパワー入力判定信号Ｈ１がインアクティブまたはＣＰＵ６０からの動作モード信号がインアクティブのとき、すなわち、デジタルカメラ１０が非動作中、または、ＵＳＢバスパワーが「有」で且つそのバスパワー供給電流量が５単位に満たないときには、外部電源電圧ＤＣｉｎを選択してバッテリ２７に供給する。なお、外部電源電圧ＤＣｉｎの供給元は、先にも説明したとおり、ＡＣアダプタ３６である。すなわち、外部電源電圧ＤＣｉｎは、ＡＣアダプタ３６からケーブル４１、クレードル２９及びクレードル接続端子２５を経てデジタルカメラ１０に伝えられ、電源部６８の充電切換部７０に供給される。
【００３２】
外部電源入力判定部７１は、外部電源電圧ＤＣｉｎの有無を判定し、その判定結果を示す信号（外部電源入力判定信号Ｈ２）を内外電源切換部７２に出力する。以下、説明の便宜上、この外部電源入力判定信号Ｈ２は、外部電源電圧ＤＣｉｎ「有」のときにアクティブとなり、外部電源電圧ＤＣｉｎ「無」のときにインアクティブとなるものとする。ただし、外部電源電圧ＤＣｉｎ「有」とは、外部電源電圧ＤＣｉｎの電流値や電圧値が所定の許容範囲（ＡＣアダプタ３６の出力電流及び電圧の許容範囲）に収まっている状態のことをいい、外部電源電圧ＤＣｉｎ「無」とは、ＤＣｉｎ＝０ＶまたはＤＣｉｎが同許容範囲に収まっていない状態のことをいう。
【００３３】
内外電源切換部７２は、内部電源電圧生成用の電圧源を切り替えるためのものである。切り替え対象の電圧源は、外部電源電圧ＤＣｉｎとバッテリ２７の出力電圧（以下、バッテリ電圧Ｖｂａｔという）である。詳細には、内外電源切換部７２は、外部電源入力判定信号Ｈ２がアクティブのとき、すなわち、外部電源電圧ＤＣｉｎ「有」のときには、外部電源電圧ＤＣｉｎを選択して内部電源電圧生成部７３に供給する一方、外部電源入力判定信号Ｈ２がインアクティブのとき、すなわち、外部電源電圧ＤＣｉｎ「無」のときには、バッテリ電圧Ｖｂａｔを選択して内部電源電圧生成部７３に供給する。
【００３４】
内部電源電圧生成部７３は、内外電源切換部７２で選択された外部電源電圧ＤＣｉｎまたはバッテリ電圧Ｖｂａｔから、デジタルカメラ１０の各部（電子撮像部５２、画像処理部５３、フォーカス駆動部５５、ズーム駆動部５６、ストロボ駆動部５８）の動作に必要な一乃至は複数種類の内部電源電圧を生成して出力する。
【００３５】
このような構成を有する電源部６８は、以下の動作を行う。説明を簡単化するために、ＵＳＢバスパワー電流をＩａ、外部電源電圧ＤＣｉｎの電流をＩｂ、バッテリ２７の出力電流をＩｃで表すことにする。図示のように、Ｉａは、充電切換部７０からバッテリ２７に至る単一ルートしか通らず、同様に、Ｉｃも、内外電源切換部７２から内部電源電圧生成部７３に至る単一ルートしか通らないが、Ｉｂは、充電切換部７０からバッテリ２７に至る第１ルートと、内外電源切換部７２から内部電源電圧生成部７３に至る第２ルートの二つを通るので、以下、第１ルートを通るＩｂをＩｂ１とし、第２ルートを通るＩｂをＩｂ２として区別することにする。
【００３６】
さて、これらのＩａ、Ｉｂ（Ｉｂ１、Ｉｂ２）及びＩｃを用いて本実施形態の電源部の動作を説明すると、以下のとおりとなる。
（１）  外部電源入力判定信号Ｈ２がアクティブのとき、すなわち、外部電源電圧ＤＣｉｎ「有」のときには、内外電源切換部７２で外部電源電圧ＤＣｉｎが選択され、内部電源電圧生成部７３に外部電源電圧ＤＣｉｎの電流（Ｉｂ２）が供給される。このため、内部電源電圧生成部７３は、この外部電源電圧ＤＣｉｎからデジタルカメラ１０の各部の動作に必要な一乃至は複数種類の内部電源電圧を生成する。
（２）  外部電源入力判定信号Ｈ２がインアクティブのとき、すなわち、外部電源電圧ＤＣｉｎ「無」のときには、内外電源切換部７２でバッテリ電圧Ｖｂａｔが選択され、内部電源電圧生成部７３にバッテリ２７からの電流（Ｉｃ）が供給される。このため、内部電源電圧生成部７３は、バッテリ電圧Ｖｂａｔからデジタルカメラ１０の各部の動作に必要な一乃至は複数種類の内部電源電圧を生成する。
【００３７】
（３）  ＣＰＵ６０からの動作モード信号とバスパワー入力判定信号Ｈ１が共にアクティブのとき、すなわち、デジタルカメラ１０が動作中で、ＵＳＢバスパワーが「有」、且つそのバスパワー供給電流量が５単位のときには、充電切換部７０でＵＳＢバスパワーが選択され、バッテリ２７にＵＳＢバスパワー電流（Ｉａ）が流れ込む。このため、バッテリ２７は、ＤＣｉｎではなく、ＵＳＢバスパワーによって充電される。
（４）  ＣＰＵ６０からの動作モード信号がインアクティブまたはバスパワー入力判定信号Ｈ１がインアクティブのとき、すなわち、デジタルカメラ１０が非動作中、または、ＵＳＢバスパワーが「有」で且つそのバスパワー供給電流量が５単位に満たないとき、または、ＵＳＢバスパワー「無」のときには、充電切換部７０で外部電源電圧ＤＣｉｎが選択され、バッテリ２７に外部電源電圧ＤＣｉｎの電流（Ｉｂ１）が流れ込む。このため、バッテリ２７は、ＵＳＢバスパワーではなく、外部電源電圧ＤＣｉｎによって充電される。
【００３８】
以上の（１）〜（４）を要約すると、次のとおりとなる。
図６は、クレードル載置時における電源部６８の動作マトリクス図である。この図において、外部電源電圧ＤＣｉｎの取り得る状態は二つである。つまり、クレードル２９を介してＡＣアダプタ３６から適正な外部電源電圧ＤＣｉｎがデジタルカメラ１０に供給されている「有」の状態（Ｎｏ１、Ｎｏ２）と、非供給の「無」の状態（Ｎｏ３、Ｎｏ４）の二つである。
【００３９】
ＵＳＢバスパワーの取り得る状態も二つである。つまり、クレードル２９を介してパーソナルコンピュータ３７のＵＳＢポート４３から規定（５単位）のＵＳＢバスパワーがデジタルカメラ１０に供給されている「有」の状態（Ｎｏ１、Ｎｏ３）と、ＵＳＢバスパワー「無」の状態（Ｎｏ２、Ｎｏ４）である。
【００４０】
なお、ＤＣｉｎ有とは、規定電圧が確保出来ている状態をいい、ＤＣｉｎ無とは、電圧が０乃至規定電圧に満たない状態をいう。また、ＵＳＢバスパワー有とは、５単位の規定電圧が確保出来ている状態をいう、ＵＳＢバスパワー無とは、電圧が０乃至規定電圧に満たない状態をいう。
【００４１】
クレードル載置時におけるデジタルカメラ１０の内部電源電圧は、ＤＣｉｎまたはＶｂａｔのいずれかから生成される。すなわち、ＤＣｉｎ「有」の状態の場合には、外部電源入力判定信号Ｈ２がアクティブになり、このアクティブに応答して内外電源切換部７２でＤＣｉｎが選択され、内部電源電圧生成部７３に供給されるので、この場合の内部電源電圧は、ＤＣｉｎから生成されることになる。一方、ＤＣｉｎ「無」の状態の場合には、外部電源入力判定信号Ｈ２がインアクティブになり、このインアクティブに応答して内外電源切換部７２でＶｂａｔが選択され、内部電源電圧生成部７３に供給されるので、この場合の内部電源電圧は、Ｖｂａｔから生成されることになる。
【００４２】
このように、クレードル載置時におけるデジタルカメラ１０の内部電源電圧は、ＤＣｉｎまたはＶｂａｔのいずれかから生成されるので、クレードルに載置したままのデジタルカメラ１０で、たとえば、スライドショーなどを支障なく実行することができる。
【００４３】
次に、バッテリ２７の充電について説明する。冒頭の従来技術においては、カメラが非動作中にＤＣｉｎでバッテリを充電しており、カメラが動作すると充電を停止していた。これに対して、本実施形態では、図６からも明らかなように、カメラ非動作中はＤＣｉｎ又はＵＳＢバスパワーでバッテリを充電しているものの、カメラが動作したときには、ＤＣｉｎからＵＳＢバスパワーに切り替えて充電を継続できるようにしている。
【００４４】
かかる充電切換（ＤＣｉｎ→ＵＳＢバスパワー）の作用は、電源部６８の充電切換部７０において、既述のとおり、バスパワー入力判定信号Ｈ１とＣＰＵ６０からの動作モード信号が共にアクティブのとき、すなわち、デジタルカメラ１０が動作中で、ＵＳＢバスパワーが「有」、且つそのバスパワー供給電流量が５単位のときには、ＵＳＢバスパワーを選択してバッテリ２７に供給する一方、バスパワー入力判定信号Ｈ１がインアクティブまたはＣＰＵ６０からの動作モード信号がインアクティブのとき、すなわち、デジタルカメラ１０が非動作中、または、ＵＳＢバスパワーが「有」で且つそのバスパワー供給電流量が５単位に満たないときには、外部電源電圧ＤＣｉｎを選択してバッテリ２７に供給するようにしているからである。
【００４５】
以上のとおりであるから、本実施形態のデジタルカメラ１０においては、以下の特有の効果が得られる。
【００４６】
ＡＣアダプタ３６が接続されたクレードル２９にデジタルカメラ１０をセットすると、ＡＣアダプタ３６からの外部電源電圧ＤＣｉｎを用いてデジタルカメラ１０のバッテリ２７を充電できる。
【００４７】
また、この状態で、クレードル２９とパーソナルコンピュータ３７のＵＳＢポート４３との間をＵＳＢケーブル４４で接続し、クレードル２９のＰＨＯＴＯボタン３２を操作すると、たとえば、デジタルカメラ１０で撮影済み画像の自動順次再生（スライドショー）が開始される。
【００４８】
このとき、従来技術においては、ＡＣアダプタ３６からの外部電源電圧ＤＣｉｎをデジタルカメラ１０の動作電源に回す必要から、バッテリ２７の充電を停止していたが、本実施形態では、バッテリ２７の充電用電源を外部電源電圧ＤＣｉｎからＵＳＢバスパワーに切り替えてバッテリ２７の充電を継続できるようにしている。
【００４９】
このため、本実施形態にあっては、クレードル載置状態で、たとえば、スライドショーを行っている最中であってもバッテリ２７の充電を継続できるから、バッテリ２７の充電時間を短縮することができ、携帯用電子機器としての利便性（すぐに持ち出して使用できる）を阻害しないという格別な効果が得られる。
【００５０】
なお、本発明は、以上の実施形態に限定されず、その技術思想の範囲内において様々な変形例や発展例を包含することはもちろんであり、以下のようにしてもよい。
【００５１】
上記の実施形態では、ＵＳＢバスパワーを利用しているが、ＵＳＢに限らない。ＵＳＢのような汎用インターフェースであって、且つ、所要の電力を供給できるインターフェースであってもよい。
【００５２】
また、デジタルカメラ以外の携帯型電子機器であってもよい。すなわち、クレードルのような充電用載置台または充電兼用載置台にセットして使用されると共に、その載置台を介してパーソナルコンピュータ等の外部機器に接続されるものであって、さらに、同外部機器との間で、上記のＵＳＢまたはその他のバスパワー供給機能付き汎用インターフェースを使用したデータ通信等が可能な携帯型電子機器であってもよい。このような携帯型電子機器としては、たとえば、携帯テレビ、携帯型画像再生装置、画像再生機能付き携帯電話機、携帯情報端末、携帯型小型パーソナルコンピュータ等の携帯型電子機器などが考えられる。
【００５３】
クレードル載置中に実行されるデジタルカメラ１０の動作は、上記のスライドショーのみならず、パーソナルコンピュータ３７との間で行われる画像ファイル等のデータ転送またはその他の動作、たとえば、携帯型テレビであればテレビジョン放送受信動作、携帯電話機であれば待ち受け動作、携帯情報端末や携帯型小型パーソナルコンピュータであれば、任意ソフトウェアの実行動作であってもよい。
【図面の簡単な説明】
【００５４】
【図１】本実施形態のデジタルカメラ１０の正面図及び背面図である。
【図２】デジタルカメラ１０とクレードル２９との接続状態図である。
【図３】クレードル２９とＡＣアダプタ３６及びパーソナルコンピュータ３７との接続状態図である。
【図４】デジタルカメラ１０の内部ブロック図である。
【図５】電源部６８の概念的な構成図である。
【図６】クレードル載置時における電源部６８の動作マトリクス図である。
【符号の説明】
【００５５】
ＤＣｉｎ  外部電源電圧（第１の電源）
１０  デジタルカメラ（携帯型電子機器）
２７  バッテリ
３７  外部機器
６０  ＣＰＵ（第３判定手段）
６８  電源部（第１判定手段、第２判定手段、切換手段）
６９  バスパワー入力判定部（第２判定手段）
７０  充電切換部（切換手段）
７１  外部電源入力判定部（第１判定手段）
【図１】
2007251536.tif 000003
【図２】
2007251536.tif 000004
【図３】
2007251536.tif 000005
【図４】
2007251536.tif 000006
【図５】
2007251536.tif 000007
【図６】
2007251536.tif 000008